(57)【要約】【課題】中皿が容器本体に対し着脱自在でありながら薄型化することができるとともに、蓋体と容器本体との係合にばらつきがなく、見栄えのよい化粧料容器を提供する。【解決手段】容器本体１０と、容器本体１０に対し後方に１８０°開くことができるよう容器本体１０に、ヒンジ軸３１と凹溝２０との係合によってヒンジ連結された蓋体１２と、上記容器本体１０の凹部内に着脱自在に収容される中皿１１とを備え、上記容器本体１０の凹部周壁のうち後壁が切欠かれているとともに、上記蓋体１２の後端部に、蓋体１２を閉じた状態で上記容器本体１０の凹部内に収容された中皿１１の後壁に当接する抜け止め片が設けられており、上記蓋体１２を後方に１８０°開くことにより上記抜け止め片を上記中皿１１の後壁より下方に配置させて中皿１１を後方に抜き取り可能にした。【選択図】図１
2013192604.tif 000002
【特許請求の範囲】
【請求項１】
上面に中皿収容用の凹部が設けられた容器本体と、この容器本体の上面を蓋し、容器本体に対し後方に１８０°開くことができるよう容器本体にヒンジ連結された蓋体と、上記凹部内に着脱自在に収容される中皿とを備え、上記容器本体に、上記蓋体を閉じた状態で係止するための係合部が形成され、上記蓋体に、上記係合部と着脱自在に係合する被係合部が形成された化粧料容器であって、上記容器本体の凹部周壁のうち後壁が切欠かれているとともに、上記蓋体の後端部に、蓋体を閉じた状態で上記容器本体の凹部内に収容された中皿の後壁に当接する抜け止め片が設けられており、上記蓋体を後方に１８０°開くことにより上記抜け止め片を上記中皿の後壁より下方に配置させて中皿を後方に抜き取り可能にしたことを特徴とする化粧料容器。
【請求項２】
上記蓋体が、天板と、その左右両端縁から垂下する一対の側板とを備え、上記一対の側板と容器本体の左右側面との摺動自在な係合によって、容器本体に対し、手前から後方にスライド自在に取り付けられており、容器本体の後端までスライドした状態においてその係合がヒンジ連結状態となって後方に１８０°反転するようになっている請求項１記載の化粧料容器。
【請求項３】
上記蓋体が、天板と、その左右両端縁から垂下する一対の側板とを備え、その側板後端部と容器本体の左右側面後端部とのヒンジ連結によって、容器本体に対し、後方に１８０°反転するようになっている請求項１記載の化粧料容器。
【請求項４】
上記容器本体の上面の後側に、中皿収容用の凹部が設けられ、同じくその前側に、化粧小物収容用の凹部が設けられ、上記中皿収容用の凹部と化粧小物収容用の凹部との境界部に、上記中皿収容用の凹部内に収容された中皿を後方に押し出すための切欠き部が設けられている請求項１〜３のいずれか一項に記載の化粧料容器。
【請求項５】
上記中皿収容用の凹部底面に、中皿係止用の係合部が設けられ、上記中皿の下面に、上記凹部底面の係合部と着脱自在に係合する被係合部が設けられている請求項１〜４のいずれか一項に記載の化粧料容器。
【請求項６】
上記蓋体を閉じた状態における容器全体の厚みが、４〜８ｍｍに設定されている請求項１〜５のいずれか一項に記載の化粧料容器。
【発明の詳細な説明】
【技術分野】
【０００１】
本発明は、容器本体に着脱自在に中皿が収容されるようになっている化粧料容器に関するものである。
【背景技術】
【０００２】
ファンデーションやアイカラー、リップカラー等のメイクアップ化粧料を収容する容器としては、容器本体の上面に設けられた凹部内に、化粧料が充填された金皿（もしくは樹脂皿）を直接収容したものが主流であったが、最近は、化粧料が充填された金皿を複数個収容した中皿や、複数の化粧料充填凹部にそれぞれ化粧料を直接充填した中皿を、容器本体の上面に設けた凹部に着脱自在に収容して、色の種類や組み合わせの異なる中皿と交換して使用したり、使用済の中皿を新しい中皿に交換して使用したりすることができるようにした化粧料容器が、多く用いられている。
【０００３】
このような化粧料容器は、化粧料を収容した中皿を、容器本体に着脱自在に収容するため、従来の構造では、容器全体が比較的厚くなってしまうという問題がある。そこで、容器の薄型化を図るために、例えば、図９に示すような容器（特許文献１を参照）が提案されている。
【０００４】
この容器は、容器本体６が、板材１と、その両側端に設けられた立ち上がり部２、３と、両立ち上がり部２、３から延設される水平部４、５とでフレーム状に構成されており、この容器本体６に、化粧料収容部８が複数形成された中皿９が、手間にスライド自在に取り付けられている。
【０００５】
上記構成によれば、容器本体６を金属等の剛体で形成することにより、全体をごく薄く設定しても、内側の化粧料収容部８を充分に保護しうる強度が得られるという利点を有している。
【先行技術文献】
【特許文献】
【０００６】
【特許文献１】実公平６−４８１６号公報
【発明の概要】
【発明が解決しようとする課題】
【０００７】
しかしながら、上記特許文献１に記載された容器では、蓋体７を、従来のように容器本体６の前端部で係合させることができないため、蓋体７に設けられた係合用突起７ａを、スライド自在な中皿９の前端部に設けられた係合部９ｂと係合させて閉じるようになっている。このため、上記係合にばらつきが生じやすく、蓋体７との係合が固すぎるものや緩すぎるものが出回るおそれがある。
【０００８】
一方、蓋体７は従来通り容器本体６の前端部と係合させ、中皿９を、容器本体６に対して側方にスライド自在に嵌合させるようにした容器も提案されているが、その場合、容器本体６の片方の側壁が切欠かれた構成となり、見栄えが悪くなるという問題がある。
【０００９】
本発明は、このような事情に鑑みなされたもので、中皿が容器本体に対し着脱自在でありながら薄型に形成することができ、しかも蓋体と容器本体との係合にばらつきがなく、見栄えのよい、優れた化粧料容器の提供をその目的とする。
【課題を解決するための手段】
【００１０】
上記の目的を達成するため、本発明は、上面に中皿収容用の凹部が設けられた容器本体と、この容器本体の上面を蓋し、容器本体に対し後方に１８０°開くことができるよう容器本体にヒンジ連結された蓋体と、上記凹部内に着脱自在に収容される中皿とを備え、上記容器本体に、上記蓋体を閉じた状態で係止するための係合部が形成され、上記蓋体に、上記係合部と着脱自在に係合する被係合部が形成された化粧料容器であって、上記容器本体の凹部周壁のうち後壁が切欠かれているとともに、上記蓋体の後端部に、蓋体を閉じた状態で上記容器本体の凹部内に収容された中皿の後壁に当接する抜け止め片が設けられており、上記蓋体を後方に１８０°開くことにより上記抜け止め片を上記中皿の後壁より下方に配置させて中皿を後方に抜き取り可能にした化粧料容器を第１の要旨とする。
【００１１】
また、本発明は、そのなかでも、特に、上記蓋体が、天板と、その左右両端縁から垂下する一対の側板とを備え、上記一対の側板と容器本体の左右側面との摺動自在な係合によって、容器本体に対し、手前から後方にスライド自在に取り付けられており、容器本体の後端までスライドした状態においてその係合がヒンジ連結状態となって後方に１８０°反転するようになっている化粧料容器を第２の要旨とし、上記蓋体が、天板と、その左右両端縁から垂下する一対の側板とを備え、その側板後端部と容器本体の左右側面後端部とのヒンジ連結によって、容器本体に対し、後方に１８０°反転するようになっている化粧料容器を第３の要旨とする。
【００１２】
さらに、本発明は、それらのなかでも、特に、上記容器本体の上面の後側に、中皿収容用の凹部が設けられ、同じくその前側に、化粧小物収容用の凹部が設けられ、上記中皿収容用の凹部と化粧小物収容用の凹部との境界部に、上記中皿収容用の凹部内に収容された中皿を後方に押し出すための切欠き部が設けられている化粧料容器を第４の要旨とし、上記中皿収容用の凹部底面に、中皿係止用の係合部が設けられ、上記中皿の下面に、上記凹部底面の係合部と着脱自在に係合する被係合部が設けられている化粧料容器を第５の要旨とし、上記蓋体を閉じた状態における容器全体の厚みが、４〜８ｍｍに設定されている化粧料容器を第６の要旨とする。
【００１３】
なお、本発明において、この化粧料容器を使用する際に、手前になる方を「前」、奥になる方を「後」として、互いの位置関係を説明している。
【発明の効果】
【００１４】
すなわち、本発明の化粧料容器は、容器本体の凹部周壁のうち後壁を切欠くとともに、容器本体に対し後方に１８０°開くよう構成された蓋体の後端部に、中皿後壁に代わる抜け止め片を設けることにより、蓋体を閉じた状態では中皿を固定し、蓋体を１８０°開いた状態では上記中皿を後方に抜き取り可能にしたものである。この構成によれば、容器本体の左右両端部と前端部とで中皿が囲われているため、蓋体を、従来のように容器本体の前端部と係合させることができ、その係合部にがたつきが生じるようなことがない。また、見栄えもよい。
【００１５】
しかも、容器本体の凹部周壁のうち後壁が切欠かれているにもかかわらず、蓋体を１８０°後方に開くためのヒンジ連結部が、その切欠きを補う補強となるため、全体としての剛性が低下せず、容器を薄型化しても化粧料がひび割れる等の支障が生じにくいという利点を有する。
【００１６】
さらに、中皿を手前や左右方向に取り出し可能にしたものは、蓋体を開いて化粧に用いる際、中皿に充填された化粧料を、化粧筆やパフで手前方向や左右方向にこすり取るため、その力加減によっては、中皿が容器本体から抜けてしまうおそれがあり、動作に注意を要するという問題があるが、本発明によれば、そのようなおそれがなく、安心して化粧することができる。
【００１７】
また、本発明のなかでも、特に、上記蓋体が、天板と、その左右両端縁から垂下する一対の側板とを備え、上記一対の側板と容器本体の左右側面との摺動自在な係合によって、容器本体に対し、手前から後方にスライド自在に取り付けられており、容器本体の後端までスライドした状態においてその係合がヒンジ連結状態となって後方に１８０°反転するようになっているものは、上記蓋体の左右側板と容器本体の左右側面との摺動自在な係合部が、容器の左右両側の補強となり、容器の剛性を高めるため、容器を薄型化しても、化粧料がひび割れる等の支障がより生じにくいという利点を有する。
【００１８】
そして、上記蓋体が、容器本体の後端までスライドしてから後方に１８０°開くようになっているため、蓋体のスライド分だけ蓋体の開閉に要するスペースを小さくすることができ、場所をとらないという利点を有する。しかも、上記蓋体を１８０°開く途中、例えば９０°より少し開いた状態で水平面上に立てることにより、容器本体の上面を傾斜面にした姿勢で安定して載置することができるため、陳列台等がなくても、それ自体を見栄えよく陳列することができるという利点を有する。
【００１９】
さらに、本発明のなかでも、特に、上記蓋体が、天板と、その左右両端縁から垂下する一対の側板とを備え、その側板後端部と容器本体の左右側面後端部とのヒンジ連結によって、容器本体に対し、後方に１８０°反転するようになっているものは、スライド動作が不要で、従来の化粧料容器と同様の動作で簡単に開閉することができるという利点を有する。
【００２０】
そして、本発明のなかでも、特に、上記容器本体の上面の後側に、中皿収容用の凹部が設けられ、同じくその前側に、化粧小物収容用の凹部が設けられ、上記中皿収容用の凹部と化粧小物収容用の凹部との境界部に、上記中皿収容用の凹部内に収容された中皿を後方に押し出すための切欠き部が設けられているものは、上記切欠き部を利用して、中皿を後方に押し出すことができ、中皿の抜き取り作業を簡単に行うことができる。しかも、比較的嵩張る化粧筆等の化粧小物を、容器本体側の凹部に直接収容し、化粧料だけを収容した中皿を、容器本体に着脱自在に収容するため、容器全体を薄くすることができるという利点を有する。
【００２１】
また、本発明のなかでも、特に、上記中皿収容用の凹部底面に、中皿係止用の係合部が設けられ、上記中皿の下面に、上記凹部底面の係合部と着脱自在に係合する被係合部が設けられているものは、その係合によって、中皿が容器本体の中皿収容用の凹部内にカチッと収まるため、これをより安定した状態で保持することができるという利点を有する。
【００２２】
さらに、本発明のなかでも、特に、上記蓋体を閉じた状態における容器全体の厚みが、４〜８ｍｍに設定されているものは、従来の、多く出回っている化粧料容器に比べて薄型であり、携帯や保管に便利であるという利点を有する。
【図面の簡単な説明】
【００２３】
【図１】本発明の一実施の形態を示す斜視図である。
【図２】（ａ）は上記実施の形態の平面図、（ｂ）は（ａ）のＡ−Ａ′断面図、（ｃ）は（ａ）のＸ−Ｘ′矢視図である。
【図３】（ａ）は上記実施の形態に用いられる容器本体の平面図、（ｂ）は（ａ）のＢ−Ｂ′断面図、（ｃ）は（ａ）のＣ−Ｃ′矢視図、（ｄ）は（ａ）のＤ−Ｄ′断面図である。
【図４】（ａ）は上記実施の形態に用いられる中皿の平面図、（ｂ）は（ａ）のＹ−Ｙ′矢視図、（ｃ）は（ａ）のＥ−Ｅ′断面図、（ｄ）は（ａ）の底面図である。
【図５】（ａ）は上記実施の形態に用いられる蓋体の平面図、（ｂ）は（ａ）のＺ−Ｚ′矢視図、（ｃ）は（ａ）のＦ−Ｆ′断面図、（ｄ）は（ａ）の底面図である。
【図６】上記実施の形態における蓋体の開き方の説明図である。
【図７】（ａ）、（ｂ）はともに上記実施の形態における蓋体の開き方の説明図である。
【図８】（ａ）は本発明の他の実施の形態の平面図、（ｂ）は（ａ）のＲ−Ｒ′矢視図、（ｃ）は（ａ）のＧ−Ｇ′断面図である。
【図９】従来の化粧料容器の一例を示す斜視図である。
【発明を実施するための形態】
【００２４】
つぎに、本発明の実施の形態を図面にもとづいて詳しく説明する。ただし、本発明は、以下の実施の形態に限定されるものではない。
【００２５】
図１は、本発明の化粧料容器の一実施の形態を示している。この化粧料容器は、全体が、平面視長方形の略平板状で、容器本体１０と、上記容器本体１０の後側（図において向かって右側）に、着脱自在に収容される中皿１１と、容器本体１０の上面を蓋する透明な蓋体１２とで構成されている。そして、上記中皿１１には、色の異なる化粧料（この例ではアイカラー）５０、５１、５２をそれぞれ充填してなる３種類の金皿６０、６１、６２が収容されている。また、上記容器本体１０の前側には、化粧小物（この例では化粧チップ）１３を収容する凹部１４が設けられている。
【００２６】
なお、図２（ａ）に、この化粧料容器の平面図を示し、図２（ｂ）に、そのＡ−Ａ′断面図を示し、図２（ｃ）に、同じく図２（ａ）のＸ−Ｘ′矢視図を示す。
【００２７】
より詳しく説明すると、上記化粧料容器の容器本体１０は、平面視長方形の略平板状で、その平面図である図３（ａ）に示すように、その上面の前側（図において向かって左側）に、化粧小物１３を収容するための凹部１４が設けられており、その後側に、中皿１１を収容するための凹部１５が設けられている。そして、両凹部１４、１５の境界部には、図３（ａ）のＤ−Ｄ′断面図である図３（ｄ）に示すように、円弧状の切欠き部１６が下向きに設けられている。
【００２８】
なお、上記化粧小物１３を収容するための凹部１４の底面には、図３（ａ）のＢ−Ｂ′断面図である図３（ｂ）に示すように、左右方向に延びる浅い凹溝１４ａが形成されており、この部分に載置された化粧小物１３が、その載置位置からずれにくくなっている。
【００２９】
また、上記中皿１１を収容するための凹部１５の後壁１５ｂ（図３〔ａ〕において一点鎖線で示す）は、完全に切欠かれており、この切欠き部分を通って、中皿１１が凹部１５内から抜き出され、あるいは差し込まれるようになっている（図７〔ｂ〕を参照）。そして、上記凹部１５の左右両側壁の内側面には、前後方向に延びる凸条１５ａがそれぞれ設けられており、この凸条１５ａが、中皿１１の左右の側面に設けられた凹溝１１ａ（図４〔ｂ〕を参照）とそれぞれ係合して、中皿１１を出し入れする際のスライドガイドとして機能するようになっている。
【００３０】
さらに、上記凹部１５の底面の前側中央に、小さな係合用凸部１８が設けられており、この部分が、中皿１１の裏面の前側に設けられた小さな凹溝１９（図４〔ｃ〕、〔ｄ〕を参照）と係合して、凹部１５内における中皿１１の位置決め保持がなされるようになっている。
【００３１】
また、容器本体１０の左右両側面には、図３（ａ）のＣ−Ｃ′矢視図である図３（ｃ）に示すように、その前後方向の略中央部から後端部まで水平に延びる凹溝２０が形成されており、この部分が、蓋体１２の左右の側板３０にそれぞれ設けられたヒンジ軸３１（図５〔ｃ〕、〔ｄ〕を参照）と係合するようになっている。この係合により、蓋体１２が、容器本体１０に対し前後方向にスライド自在に連結されるとともに、容器本体１０の後端部まで蓋体１２がスライドした状態において、その係合部がヒンジ連結部となり、蓋体１２を後方に開くことができるようになっている（図６を参照）。
【００３２】
さらに、容器本体１０の左右両側面の前端部には、図３（ａ）、（ｃ）に示すように、それぞれ小凸部２１が設けられており、この部分が、蓋体１２の左右の側板３０の前端部にそれぞれ設けられた小凹部３２（図５〔ｃ〕、〔ｄ〕を参照）と係合することにより、蓋体１２を閉じた状態で係止できるようになっている。
【００３３】
一方、上記容器本体１０の凹部１５内に着脱自在に収容される中皿１１は、平面視長方形の略平板状で、その平面図である図４（ａ）に示すように、その上面に、形の異なる３種類の金皿６０、６１、６２（図２〔ａ〕を参照）を収容するための３つの凹部３４、３５、３６が設けられている。そして、その左右両側面に、図４（ａ）のＹ−Ｙ′矢視図である図４（ｂ）に示すように、凹溝１１ａがそれぞれ設けられており、この部分が、すでに述べたように、容器本体１０側の凸条１５ａ（図３〔ａ〕、〔ｂ〕を参照）と係合するようになっている。
【００３４】
また、上記中皿１１の裏面の前側中央には、図４（ａ）のＥ−Ｅ′断面図である図４（ｃ）と、図４（ａ）の底面図である図４（ｄ）に示すように、小さな凹溝１９が設けられており、すでに述べたように、この部分を、容器本体１０側の小さな係合用凸部１８（図３〔ａ〕、〔ｂ〕を参照）に係合させることにより、中皿１１を、凹部１５内において適正な位置に位置決め保持できるようになっている。
【００３５】
また、上記容器本体１０の上面を蓋する蓋体１２は、その平面図である図５（ａ）、そのＺ−Ｚ′矢視図である図５（ｂ）、同じくそのＦ−Ｆ′断面図である図５（ｃ）に示すように、容器本体１０の上面を覆う大きさの天板３７と、その左右両端縁から垂下する一対の側板３０とを備えている。
【００３６】
上記天板３７の後端部には、図５（ｃ）に示すように、下向きに突出する抜け止め片３８が設けられており、この部分が、容器本体１０側に収容された中皿１１の後壁に当接して、蓋体１２を閉じた状態で、強い衝撃がかかっても、中皿１１が後方に抜けることがないよう抜け止め機能を果たすようになっている（図２〔ｂ〕を参照）。
【００３７】
なお、この当接は、蓋体１２を開く動作によって解除されるようになっており、蓋体１２を１８０°後方に開いた状態では、上記抜け止め片３８が、中皿１１の後壁よりも下方に配置されるようになっている。したがって、後述するように、蓋体１２を１８０°後方に開いて状態で中皿１１を後方に抜き取る場合には、上記抜け止め片３８が邪魔になることはない。
【００３８】
また、上記天板３７の上面には、その前側中央に、平面視円形の凹み３９が設けられている。蓋体１２を後方にスライドさせる際、この凹み３９に指をかけることにより、蓋体１２をスライドさせやすいようになっている。
【００３９】
一方、上記一対の側板３０の内側面の中央には、それぞれヒンジ軸３１が内向きに突設されており、このヒンジ軸３１を、容器本体１０の左右の側面に設けられた凹溝２０（図３〔ｃ〕を参照）に係合させることにより、すでに述べたように、この蓋体１２を、容器本体１０に対し前後方向にスライド自在に連結することができるようになっている。そして、上記蓋体１２を容器本体１０の後端部までスライドさせた状態において、その係合部がヒンジ連結部となり、蓋体１２を後方に開くことができるようになっている（図６を参照）。        
【００４０】
そして、上記一対の側板３０の前端部の内側には、小凹部３２がそれぞれ設けられており、すでに述べたように、この部分を、前記容器本体１０の小凸部２１（図３（ａ）、（ｃ）を参照）に係合させることにより、蓋体１２を、容器本体１０に対し閉じた状態で係止できるようになっている。
【００４１】
上記構成の化粧料容器を用いて化粧する場合は、まず、蓋体１２を、図１において矢印で示すように後方にスライドさせ、蓋体１２の小凹部３２と容器本体１０の小凸部２１との係合を外した後、蓋体１２のヒンジ軸３１が、容器本体１０の側面に設けられた凹溝２０の後端に当接する位置まで移動させる。これにより、手前側の化粧小物１３および凹部１４が露出するため、まず、凹部１４内から化粧小物１３を取り出す。
【００４２】
つぎに、図６において、矢印で示すように、上記ヒンジ軸３１を回転軸として、蓋体１２を後方に回動させて開き、最終的に、図７（ａ）に示すように、蓋体１２を１８０°開いて、蓋体１２の略半分を容器本体１０の裏側に重ねる。そして、ヒンジ軸３１を凹溝２０に沿って手前側に滑らせることにより、図７（ｂ）に示すように、蓋体１２の略全体を容器本体１０の裏側に重ねるようにする。
【００４３】
これにより、容器本体１０の上面が全面的に露出し、中皿１１も完全に露出するため、中皿１１内に収容された化粧料５０、５１、５２を用いて、化粧することができる。このとき、化粧料容器は、蓋体１２を閉じた状態と略同一のコンパクトな形状になっているため、片手で持ちやすく、使い勝手がよい。
【００４４】
そして、化粧終了後は、上記一連の動作と逆の動作を行うことにより、簡単に蓋体１２を閉じることができる。
【００４５】
また、中皿１１内の化粧料がなくなって、新しい中皿に交換する場合や、色の異なる他の中皿に交換する場合は、蓋体１２を開いた図７（ｂ）の状態において、容器本体１０の、化粧小物収容用の凹部１４と中皿収容用の凹部１５との間の切欠き部１６を利用して、この部分に手前から指を当てて中皿１１を後方に押し出すようにすると、図において太矢印Ｐで示すように、中皿１１を簡単に、後方に抜き取ることができる。もちろん、図７（ａ）のように、蓋体１２が後方に延びている状態であっても、同様にして抜き取ることができる。
【００４６】
このように、この化粧料容器によれば、容器本体１０に対し、中皿１１を後方に抜き出し可能にして着脱するようにしているため、容器本体１０の前側を蓋体１２と係合させて、蓋体１０を閉じることができる。したがって、その係合部にがたつきが生じるようなことがなく、見栄えもよい。
【００４７】
しかも、容器本体１０の凹部１５の後壁が切欠かれているにもかかわらず、蓋体１２との係合部（凹溝２０とヒンジ軸３１の連結部）が左右に設けられ、容器本体１０の左右両側を補強しているため、全体としての剛性が低下せず、容器を薄型化しても化粧料５０等がひび割れる等の支障が生じにくいという利点を有する。
【００４８】
さらに、中皿１１を、容器本体１０から後方に抜き取る構成になっているため、蓋体１２を開いて化粧に用いる際、中皿１１に充填された化粧料５０等を、化粧筆やパフ等の化粧小物１３で手前方向や左右方向にこすり取っても、そのような力の方向では中皿１１がずれることがなく、安心して化粧することができる。
【００４９】
また、上記蓋体１２が、容器本体１０の後端までスライドしてから後方に１８０°開くようになっているため、蓋体１２のスライド分だけ蓋体１２の開閉に要するスペースを小さくすることができ、場所をとらないという利点を有する。しかも、上記蓋体を１８０°開く途中、例えば９０°より少し開いた状態で、この化粧料容器を水平面上に載置すれば、容器本体１０の上面を傾斜面にした姿勢で安定して置くことができる（図６を参照）ため、専用の陳列台等がなくても、それ自体を見栄えよく陳列することができるという利点を有する。
【００５０】
なお、上記の例は、蓋体１２を、容器本体１０の中央でヒンジ連結させ、その連結部を、容器本体１０に対しスライド自在に構成したが、この構成は、必ずしも必要ではなく、蓋体１２と容器本体１０とを、互いの後端部でヒンジ連結して、蓋体１２を、スライドさせることなく、その状態のまま、後方に１８０°開くようにしても差し支えない。
【００５１】
その一例を、図８に示す。図８（ａ）は、その平面図であり、図８（ｂ）は、そのＲ−Ｒ′矢視図である。また、図８（ｃ）は、図８（ａ）のＧ−Ｇ′断面図である。
【００５２】
この化粧料容器には、図１に示すタイプのように、容器本体１０に対し蓋体１２が後方にスライドする機構は設けられていない。そして、容器本体１０の前端面１０ａが、蓋体１２の前端面よりも内側に入り込んでおり、この部分に指をかけて、蓋体１２を開くことができるようになっている。それ以外の構成は、図１に示すものと同様であり、同一部分に同一符号を付けて、その説明を省略する。
【００５３】
この化粧料容器によれば、図１のスライド機構を有するタイプのように、蓋体１２を開いたときのスペースを小さくしたり、蓋体１２を略垂直に立てて陳列に供したりすることはできないが、蓋体１２の開閉動作が、図１のものに比べて簡単であるという利点を有する。それ以外は、図１のものと同様の効果を奏する。
【００５４】
なお、本発明において、化粧小物用凹部１４はあってもなくてもよいが、化粧料小物用凹部１４を設ける場合は、上記の例のように、中皿１１用の凹部１５よりも前側に配置し、その境界部に切欠き部１６を設けることが好適である。すなわち、上記切欠き部１６を利用して、中皿１１を後方に押し出すことができ、中皿１１の抜き取り作業を簡単に行うことができるからである。しかも、比較的嵩張る化粧筆等の化粧小物１３を、容器本体１０側の凹部１４に直接収容し、化粧料だけを収容した中皿１１を、容器本体１０に着脱自在に収容するため、容器全体を、より薄くすることができるという利点を有する。
【００５５】
また、上記の例では、容器本体１０の凹部１５に小さな係合用凸部１８を設け、中皿１１の裏面に設けた小さな凹溝１９と係合させることにより、中皿１１を後方から差し込んで収容した際の位置決め保持を行ったが、中皿１１は、前面および左右両面が凹部１５の内壁面でガイドされ、蓋体１２を閉じた状態において、その後面が、蓋体１２の抜け止め片３８で抜け止めされるようになっているため、上記係合用凸部１８と凹溝１９との係合は、必ずしも必要ではない。
【００５６】
さらに、上記の例では、容器本体１０と蓋体１２の係合を、両者の左右両側面の前端部に設けた小凸部２１，小凹部３２によって行うようにしたが、係合手段は、これに限らず、例えば、従来用いられているフック機構により、容器本体１０の前端中央部と蓋体１２の前端中央部とを係合させるようにしても差し支えない。
【００５７】
また、上記の例では、中皿１１を抜き取ったり差し込んだりする際のガイドとして、中皿１１の左右両側面に凹溝１１ａを設け、容器本体１０の凹部１５内壁に凸条１５ａを設けたが、このようなガイドは特に必要ではなく、上記凹部１５に、中皿１１の浮き上がりを防止する何らかの係合手段が設けられていれば足りる。
【００５８】
そして、上記の例では、中皿１１の抜け止め片３８として、蓋体１２の後端部から下向きに突設する凸条を設けたが、抜け止め片３８は、抜け止め機能を発揮するのであれば、一続きの凸条であっても、中央に設けられる幅の短い凸部であってもよい。また、断続的に複数の凸部を設けてもよい。
【００５９】
また、上記の例では、中皿１１に対し、化粧料５０等が充填された金皿６０等を収容したが、これに限らず、中皿１１の凹部３４等内に、化粧料５０等を直接充填しても差し支えない。そして、上記中皿１１は、複数の化粧料５０等を並べて収容したものであっても、単一の化粧料を収容したものであっても、差し支えない。
【００６０】
なお、本発明の構成は、化粧料容器全体を薄型化するのに適した構成であり、例えば容器全体の厚みが４〜８ｍｍになるよう設定することが好適である。このように、薄型化されたものは、携帯や保管に嵩張らないという利点を有するだけでなく、シャープな印象を与えるため、見栄えのよい、アピール力の高い商品となる。
【産業上の利用可能性】
【００６１】
本発明は、容器本体に着脱自在に中皿が収容されるようになっている化粧料容器に利用することができる。
【符号の説明】
【００６２】
１０  容器本体
１１  中皿
１２  蓋体
２０  凹溝
３１  ヒンジ軸
【図１】
2013192604.tif 000003
【図２】
2013192604.tif 000004
【図３】
2013192604.tif 000005
【図４】
2013192604.tif 000006
【図５】
2013192604.tif 000007
【図６】
2013192604.tif 000008
【図７】
2013192604.tif 000009
【図８】
2013192604.tif 000010
【図９】
2013192604.tif 000011